(57)【要約】【課題】糊の付着を軽減し、以って用紙（ロール状媒体）の安定した供給を実現したロール状媒体支持装置を提供する。【解決手段】ロール状媒体支持装置１は、筐体４と、筐体４に一端を片持ち式に略水平に取り付けられ、他端を開放端としてロール紙Ｌの装着が可能であって、装着されるロール紙Ｌの回転中心軸に沿った方向に移動可能なロール紙装着部材２と、ロール紙装着部材２に対して取り付けられており、ロール紙装着部材２に装着されたロール紙Ｌの側面を回転しながらガイドする回転ガイド体３ａ，３ｂとを備える。【選択図】図１
2013159461.tif 000002
【特許請求の範囲】
【請求項１】
筐体と、
前記筐体に一端を片持ち式に略水平に取り付けられ、他端を開放端としてロール状媒体の装着が可能であって、装着される前記ロール状媒体の回転中心軸に沿った方向に移動可能な媒体装着部材と、
前記媒体装着部材に対して取り付けられており、前記媒体装着部材に装着された前記ロール状媒体の側面を回転しながらガイドする回転ガイド体と、
を備えるロール状媒体支持装置。
【請求項２】
請求項１に記載のロール状媒体支持装置において、
前記媒体装着部材及び前記回転ガイド体は、二組設けられており、一組が装着される前記ロール状媒体の一側面をガイドし、他の一組が装着される前記ロール状媒体の他の側面をガイドすること、
を特徴とするロール状媒体支持装置。
【請求項３】
請求項２に記載のロール状媒体支持装置において、
二組設けられている前記媒体装着部材の互いの移動方向を逆方向として同期させる同期機構を備えること、
を特徴とするロール状媒体支持装置。
【請求項４】
請求項１から請求項３までのいずれか１項に記載のロール状媒体支持装置において、
前記回転ガイド体は、前記媒体装着部材に対して着脱自在に設けられていること、
を特徴とするロール状媒体支持装置。
【請求項５】
請求項１から請求項４までのいずれか１項に記載のロール状媒体支持装置において、
前記回転ガイド体は、円周面の円周方向に交差する方向に複数のリブが形成されていること、
を特徴とするロール状媒体支持装置。
【請求項６】
請求項１から請求項５までのいずれか１項に記載のロール状媒体支持装置において、
前記回転ガイド体は、装着される前記ロール状媒体に接触する部分を含む回転体が、その回転中心に沿った方向において複数並んで設けられていること、
を特徴とするロール状媒体支持装置。
【発明の詳細な説明】
【技術分野】
【０００１】
本発明は、糊が付着したロール状媒体の繰出しを円滑とし、かつ、ロール状媒体の振れを防止して用紙（ロール状媒体）供給の安定化を図ったロール状媒体支持装置に関するものである。
【背景技術】
【０００２】
従来、供給軸又はガイド部材にラベル連続体を装着し、所定の位置に位置決めするような支持装置が知られている（例えば、特許文献１参照）。
図８は、従来のロール状媒体支持装置を示す概略図である。
特許文献１に開示され、図８に示されるロール状媒体支持装置５０は、「ラベルプリンタのロック機構」である。ロール状媒体支持装置５０は、主に、供給軸兼用のガイド部材５１と、ロック操作部５２と、第１及び第２の用紙ガイド部材５３ａ、５３ｂと、ガイド部材５１の上面の長手方向Ｗに長孔５４を備えている。ロール状媒体支持装置５０は、ロック操作部５２を外側に倒した上でガイド部材５１にラベル連続体Ｌを装着し、ロック操作部５２を介しガイド部材５１の長手方向Ｗにおいて長孔５４に沿って第１及び第２の用紙ガイド部材５３ａ、５３ｂを移動させ、ラベル連続体（ロール紙）Ｌに当接させることにより長手方向Ｗにおける所定の位置にラベル連続体Ｌを位置決めすると共に、ロック操作部５２を起こすことにより長手方向Ｗでのブレを抑止するようになっている。
【０００３】
ところで、ガイド部材５１に装着されたラベル連続体Ｌは印字に応じ繰り出されるが、ラベル連続体Ｌの種類や使用環境によっては第１及び第２の用紙ガイド部材５３ａ、５３ｂに糊が付着することがある。例えば、ラベル連続体Ｌの種類が、長尺状基材の片面に糊が付着された、いわゆる、台紙なしラベルと称されるロール紙であると第１及び第２の用紙ガイド部材５３ａ、５３ｂ等への糊の付着は一層顕著であり、糊の付着によりラベル連続体Ｌの繰り出しに影響を及ぼすおそれがあるという問題があった。
【先行技術文献】
【特許文献】
【０００４】
【特許文献１】特開平９−２０２０１３号公報
【発明の概要】
【発明が解決しようとする課題】
【０００５】
本発明の課題は、糊の付着を軽減し、以って用紙（ロール状媒体）の安定した供給を実現したロール状媒体支持装置を提供することである。
【課題を解決するための手段】
【０００６】
本発明は、以下のような解決手段により、前記課題を解決する。
【０００７】
請求項１の発明は、筐体と、前記筐体に一端を片持ち式に略水平に取り付けられ、他端を開放端としてロール状媒体の装着が可能であって、装着される前記ロール状媒体の回転中心軸に沿った方向に移動可能な媒体装着部材と、前記媒体装着部材に対して取り付けられており、前記媒体装着部材に装着された前記ロール状媒体の側面を回転しながらガイドする回転ガイド体と、を備えるロール状媒体支持装置である。
【０００８】
請求項２の発明は、請求項１に記載のロール状媒体支持装置において、前記媒体装着部材及び前記回転ガイド体は、二組設けられており、一組が装着される前記ロール状媒体の一側面をガイドし、他の一組が装着される前記ロール状媒体の他の側面をガイドすること、を特徴とするロール状媒体支持装置である。
【０００９】
請求項３の発明は、請求項２に記載のロール状媒体支持装置において、二組設けられている前記媒体装着部材の互いの移動方向を逆方向として同期させる同期機構を備えること、を特徴とするロール状媒体支持装置である。
【００１０】
請求項４の発明は、請求項１から請求項３までのいずれか１項に記載のロール状媒体支持装置において、前記回転ガイド体は、前記媒体装着部材に対して着脱自在に設けられていること、を特徴とするロール状媒体支持装置である。
【００１１】
請求項５の発明は、請求項１から請求項４までのいずれか１項に記載のロール状媒体支持装置において、前記回転ガイド体は、円周面の円周方向に交差する方向に複数のリブが形成されていること、を特徴とするロール状媒体支持装置である。
【００１２】
請求項６の発明は、請求項１から請求項５までのいずれか１項に記載のロール状媒体支持装置において、前記回転ガイド体は、装着される前記ロール状媒体に接触する部分を含む回転体が、その回転中心に沿った方向において複数並んで設けられていること、を特徴とするロール状媒体支持装置である。
【発明の効果】
【００１３】
本発明のロール状媒体支持装置は、ロール状媒体が繰り出される際、回転ガイド体が媒体装着部材で回転するため繰り出しが円滑であり、しかも、回転ガイド体の円周部においてロール状媒体は線接触状態となるため、先の回転と相俟って糊が付着しにくいという効果がある。
【００１４】
また、媒体装着部材がロール状媒体の回転中心軸に沿った方向に移動可能とすれば、回転ガイド体の位置を容易に調整可能にできる。
【００１５】
さらに、同期機構を備えることにより、二組設けられた媒体装着部材及び前記回転ガイド体を、それぞれが同期して接近したり離間したりするように移動させることができる。よって、ロール紙を幅方向の中央部位で位置決め可能であり、かつ、回転ガイド体の回転によりロール紙の繰り出しを円滑に行える。
【００１６】
さらにまた、回転ガイド体の円周面の円周方向に交差する方向に複数のリブを形成するようにすれば、回転ガイド体の表面に糊が直接付くことがなく、以て回転ガイド体全体への糊の付着が防止できる。
【００１７】
また、回転ガイド体を、装着されるロール状媒体に接触する部分を含む回転体が、その回転中心に沿った方向において複数並んで設けられているようにすれば、外径の大きなロール状媒体が装着されても、接触位置の違いによる周速度の違いの影響を受けずに、ロール状媒体を安定して案内して、供給できる。
【図面の簡単な説明】
【００１８】
【図１】本発明に係るロール状媒体支持装置の第１実施形態の概略斜視図である。
【図２】第１実施形態のロール状媒体支持装置を図１中、矢示Ａ方向より見た概略正面図である。
【図３】ロール紙装着部材における回転ガイド体を示す概略断面図である。
【図４】本発明に係るロール状媒体支持装置の第２実施形態の概略斜視図である。
【図５】第２実施形態のロール状媒体支持装置を図４中、矢示Ｂ方向より見て一部を破断して示した概略平面図である。
【図６】第３実施形態の回転ガイド体を示す概略斜視図である。
【図７】第４実施形態のロール紙装着部材における回転ガイド体を示す概略断面図である。
【図８】従来のロール状媒体支持装置を示す概略図である。
【発明を実施するための形態】
【００１９】
以下、本発明を実施するための最良の形態について図面等を参照して説明する。
【００２０】
（第１実施形態）
図１は、本発明に係るロール状媒体支持装置の第１実施形態の概略斜視図である。
図２は、第１実施形態のロール状媒体支持装置を図１中、矢示Ａ方向より見た概略正面図である。
図３は、ロール紙装着部材における回転ガイド体を示す概略断面図である。
これらの図に示すように、ロール状媒体支持装置１は、主に、ロール紙装着部材（媒体装着部材）２と、一対の回転ガイド体３ａ、３ｂとを備える。
【００２１】
ロール紙装着部材２は、その一端（根本側）を筐体４側に支持され、他端を開放端とすることによって筐体４側に対して片持ち状態に支持されている。そして、開放端側よりラベル連続体等をロール状に巻いたロール状媒体であるロール紙Ｌが装着できるようになっており、ロール紙Ｌの供給軸の役目を果たせるようになっている。また、ロール紙装着部材２は、ロール紙Ｌの回転中心軸に沿った方向（幅方向）と一致する長手方向に移動可能なように筐体４に支持されている。筐体４内には、ロール紙装着部材２の長手方向の位置を決めた後に、その位置を固定するネジ１０が設けられている。
【００２２】
回転ガイド体３ａ，３ｂは、軸部６と円筒状のガイド体本体７とにより構成されている。ガイド体本体７は、装着されるロール紙Ｌに接触する部分を含む回転体であり、軸部６と嵌合して、軸部６を中心軸として回転自在に設けられている。
回転ガイド体３ａは、軸部６がロール紙装着部材２の開放端付近に設けられた挿通孔２ｂに挿通されている。
回転ガイド体３ｂは、軸部６が筐体４内に設けられた挿通孔４ｂに挿通されている。
挿通孔２ｂ，４ｂに挿通した回転ガイド体３ａ、３ｂの軸部６は、挿通孔２ｂ，４ｂの裏面側においてイーリング８によって係合して抜け止めされる（図２，３参照）。なお、イーリング８の代わりに、割ピン等、他の形態の抜け止めを用いてもよい。
【００２３】
そして、回転ガイド体３ａは、ロール紙装着部材２の移動と共に長手方向Ｗに沿って移動可能である。なお、ロール紙装着部材２には、長孔２ａが形成されている。この長孔２ａは、ロール紙装着部材２が移動するときに、回転ガイド体３ｂが取り付けられている部分の筐体４と干渉しないように設けられた形状である。
他方、回転ガイド体３ｂは、筐体４内に形成された挿通孔４ｂに取り付けられており、かつ、ガイド体本体７の円周部の一部が筐体４から露出した状態で設けられている。
なお、カバー体４ａは、筐体４に取り付けられた部材である。このカバー体４ａは、筐体４内に設けられた回転ガイド体３ｂの装着時や交換時等に取り外せるようにネジ９によって筐体４に止めてある（図１参照）。
【００２４】
次に、図１から図３に基づき、ロール状媒体支持装置１の使用状態を説明する。
ロール紙装着部材２の開放端側よりロール紙Ｌを装着し、ロール紙Ｌに当接させながら回転ガイド体３ａを長手方向Ｗに沿って根本（筐体４）側に押し込んで移動する。
押し込まれたロール紙Ｌは、回転ガイド体３ｂに当接することにより、ロール紙装着部材２の長手方向Ｗの奥側（筐体４側）に位置決めされる。
【００２５】
このとき、回転ガイド体３ｂにおけるガイド体本体７の円周部の一部が筐体４より露出した状態で設けられているため、ロール紙Ｌは筐体４に接触することがない。したがって、筐体４より露出した円周部が、ロール紙Ｌを案内する際の奥基準面となる。
【００２６】
また、回転ガイド体３ａ，３ｂに側面を支持された状態で装着されたロール紙Ｌは、印字作動によりロール紙装着部材２より繰出される。このとき、回転ガイド体３ａ，３ｂのガイド体本体７が回転するため繰り出しが円滑であり、しかも、回転ガイド体３ａ，３ｂのガイド体本体７における円周部でロール紙Ｌは線接触状態となるため、先の回転と相俟って糊（図示省略）が付着しにくい。
なお、回転ガイド体３ａ，３ｂにおけるガイド体本体７の表面は、シリコンやテフロン（登録商標）等を塗布した剥離処理を施し、糊がつきにくいようにしてもよい。
【００２７】
回転ガイド体３ａ，３ｂが磨耗したり、糊が付着したりした等の理由により、回転ガイド体３ａ，３ｂを交換する場合は、イーリング８を軸部６より外すことにより、ロール紙装着部材２から取り外すことができる。また、新しい回転ガイド体３ａ，３ｂを取り付けるときは、軸部６を挿通孔２ｂ及び挿通孔４ｂに挿通してイーリング８によって止めることができる。このように、回転ガイド体３ａ，３ｂは、着脱自在となっている。
なお、筐体４側に取り付けた回転ガイド体３ｂは、交換を行うとき、ネジ９を外した上、カバー体４ａを取り外すことにより、交換作業が容易となる。
また、軸部６を取り外さずに、ガイド体本体７を軸部６から取り外して交換するようにしてもよい。
【００２８】
上述したように、ロール紙装着部材２に装着したロール紙Ｌは、両端を回転ガイド体３ａ，３ｂによって支持されると共に、繰出される際、回転ガイド体３ａ，３ｂのガイド体本体７が回転するためロール紙Ｌの繰り出しが円滑であり、さらに、ロール紙Ｌと回転ガイド体３ａ，３ｂのガイド体本体７とが線接触状態となるため、糊が付着しにくい。
【００２９】
（第２実施形態）
図４は、本発明に係るロール状媒体支持装置の第２実施形態の概略斜視図である。
図５は、第２実施形態のロール状媒体支持装置を図４中、矢示Ｂ方向より見て一部を破断して示した概略平面図である。
なお、前述した第１実施形態と同様の機能を果たす部分には、同一の符号を付して、重複する説明を適宜省略する。
【００３０】
ロール状媒体支持装置１１は、一対のロール紙装着部材１２，１５と、一対の回転ガイド体３ａ，３ｂと、同期機構１９とを備えている。すなわち、ロール紙装着部材１２と回転ガイド体３ａを組み合わせた一組と、ロール紙装着部材１５と回転ガイド体３ｂとを組み合わせた一組の、合計二組が設けられている。
【００３１】
ロール紙装着部材１２，１５は、それぞれ、一端（根本側）を筐体１４側に支持され、他端を開放端とすることによって筐体１４側に対して片持ち状態に支持されている。
また、ロール紙装着部材１２，１５は、それぞれ、ロール紙Ｌの幅方向と一致する長手方向に移動可能なように筐体４に支持されている。筐体１４内には、ロール紙装着部材１２，１５の長手方向の位置を決めた後に、その位置を固定するネジ２０が設けられている。
さらに、ロール紙装着部材１２，１５は、それぞれ、互いが対向する側に、ラック歯車１２ａ，１５ａを有している。ラック歯車１２ａ，１５ａは、後述する同期機構１９の歯車１９ｂにそれぞれかみ合っている。したがって、ロール紙装着部材１２，１５は、お互いに近接する方向、又は離間する方向に連動して、それぞれが逆方向に同期して移動することができる。
そして、ロール紙装着部材１２，１５は、これらに対して開放端側よりロール状媒体であるロール紙Ｌが装着できるようになっており、ロール紙Ｌの供給軸の役目を果たせるようになっている。
【００３２】
同期機構１９は、歯車台１９ａと、歯車１９ｂとを有している。
歯車台１９ａは、ロール紙装着部材１２，１５よりも下方において、筐体１４から突出して片持ち状態で設けられている。歯車台１９ａの先端付近には、歯車１９ｂが回転可能に取り付けられている。
歯車１９ｂは、上述したように、ロール紙装着部材１２，１５のラック歯車１２ａ，１５ａとかみ合って、ラック・アンド・ピニオン機構を構成している。
【００３３】
回転ガイド体３ａは、ロール紙装着部材１２の開放端側の先端付近に取り付けられている。
回転ガイド体３ｂは、ロール紙装着部材１５の根本付近に取り付けられている。
本実施形態の回転ガイド体３ａ，３ｂは、取り付けられている部材が異なる他は、第１実施形態の回転ガイド体３ａ，３ｂと同様である。
【００３４】
本実施形態のロール状媒体支持装置１１にロール紙Ｌを装着するには、ロール紙装着部材１２，１５の開放端側よりロール紙Ｌを装着し、ロール紙装着部材１２と共に回転ガイド体３ａを筐体１４側に移動させる。そうすると、一対の回転ガイド体３ａ，３ｂが近接する方向に同期して移動し、ロール紙Ｌの側面にそれぞれが当接して停止する。このとき回転ガイド体３ａ，３ｂは、同期機構１９の働きで同じ距離移動するため、ロール紙Ｌは、いわゆる「センター振り分け」と称する中央部位に位置決めできる。
なお、回転ガイド体３ａと回転ガイド体３ｂとが、最も離間した状態のときが、装填可能なロール紙Ｌの最大幅となる。
【００３５】
その他の構成、作用、効果については、先の実施の形態と略同一につき詳細な説明を省略する。
【００３６】
（第３実施形態）
図６は、第３実施形態の回転ガイド体を示す概略斜視図である。
第３実施形態は、回転ガイド体１３ａ，１３ｂの形態を変更した他は、第１実施形態と同様な形態である。よって、前述した第１実施形態と同様の機能を果たす部分には、同一の符号を付して、重複する説明を適宜省略する。
【００３７】
回転ガイド体１３ａ，１３ｂは、軸部６とガイド体本体１７とにより形成されている。ガイド体本体１７は、軸部６に対して着脱自在、かつ、回転自在に設けられている。また、ガイド体本体１７には、円周面の円周方向Ｓと交差する方向（図６における上下方向）に、円周面より突出して複数のリブ１７ａが形成されている。
【００３８】
本実施形態によれば、ロール状媒体支持装置は、回転ガイド体１３ａ，１３ｂのガイド体本体１７の円周面に、円周面より突出してリブ１７ａが形成されているので、ロール紙Ｌがリブ１７ａに線接触するため、回転ガイド体１３の円周面全体が糊により汚れることを防止できる。
【００３９】
その他の構成、作用、効果については、先の実施形態と略同一につき詳細な説明を省略する。
【００４０】
（第４実施形態）
図７は、第４実施形態のロール紙装着部材における回転ガイド体を示す概略断面図である。
第４実施形態は、回転ガイド体２３ａ，２３ｂの形態を変更した他は、第１実施形態と同様な形態である。よって、前述した第１実施形態と同様の機能を果たす部分には、同一の符号を付して、重複する説明を適宜省略する。
【００４１】
回転ガイド体２３ａ，２３ｂは、軸部６と、ガイド体本体２７と、ワッシャ２８とを有している。ガイド体本体２７は、軸部６に対して着脱自在、かつ、回転自在に設けられている。本実施形態のガイド体本体２７は、第１実施形態のガイド体本体７よりも軸部６に沿った方向（図７中の上下方向）の寸法が短く形成されており、１つの軸部６に対して複数（本実施形態では、５つ）を並べて取り付けられている。
ワッシャ２８は、隣り合うガイド体本体２７の間に設けられており、ガイド体本体２７のそれぞれが独立して回転しやすくする役割を持っている。よって、ワッシャ２８は、すべり摩擦抵抗の小さな樹脂素材等により形成されている。
【００４２】
上記構成によって、回転ガイド体２３ａ，２３ｂは、複数のガイド体本体２７が独立して回転可能である。したがって、装着されるロール紙Ｌの外径が大きな場合に、ロール紙Ｌの中心側（ロール紙装着部材２に近い側）の周速度と外周側の周速度とに大きな差が生じたとしても、ロール紙Ｌを安定して案内して、供給できる。
【００４３】
その他の構成、作用、効果については、先の実施形態と略同一につき詳細な説明を省略する。
【００４４】
（変形形態）
以上説明した実施形態に限定されることなく、種々の変形や変更が可能であって、それらも本発明の範囲内である。
【００４５】
例えば、第１実施形態において、回転ガイド体３ｂは、ガイド体本体７の円周部の一部が筐体４から露出した状態で設けられている例を挙げて説明した。これに限らず、例えば、回転ガイド体３ｂは、全体が露出した状態で設けられていてもよい。
【００４６】
また、各実施形態において、回転ガイド体３ａ，３ｂ，１３ａ，１３ｂ，２３ａ，２３ｂは、いずれもロール紙Ｌの側面のうちの上方のみをガイドするように構成されている例を挙げて説明した。これに限らず、例えば、ロール紙Ｌの側面のうちの下方もガイドできるように、回転ガイド体をさらに設ける等してもよい。
【００４７】
なお、第１実施形態から第４実施形態及び変形形態は、適宜組み合わせて用いることもできるが、詳細な説明は省略する。また、本発明は以上説明した各実施形態によって限定されることはない。
【符号の説明】
【００４８】
１      ロール状媒体支持装置
２      ロール紙装着部材
２ａ    長孔
２ｂ    挿通孔
３ａ，３ｂ  回転ガイド体
４      筐体
４ａ    カバー体
４ｂ    挿通孔
６      軸部
７      ガイド体本体
８      イーリング
９      ネジ
１０    ネジ
１１    ロール状媒体支持装置
１２    ロール紙装着部材
１２ａ  ラック歯車
１３ａ，１３ｂ  回転ガイド体
１４    筐体
１５    ロール紙装着部材
１５ａ  ラック歯車
１７    ガイド体本体
１７ａ  リブ
１９    同期機構
１９ａ  歯車台
１９ｂ  歯車
２０    ネジ
２３ａ，２３ｂ  回転ガイド体
２７    ガイド体本体
２８    ワッシャ
Ｌ      ロール紙
Ｓ      円周方向
Ｗ      長手方向
【図１】
2013159461.tif 000003
【図２】
2013159461.tif 000004
【図３】
2013159461.tif 000005
【図４】
2013159461.tif 000006
【図５】
2013159461.tif 000007
【図６】
2013159461.tif 000008
【図７】
2013159461.tif 000009
【図８】
2013159461.tif 000010